(57)【特許請求の範囲】
【請求項１】
旅館やホテルの貸切風呂や大家族の風呂等の多数人が利用する施設において、
浴室等の施設の内側に設けられ、施設の出入口を内側から施錠（ロック）する鍵や錠（キー、ロック）と、
該鍵や錠（キー、ロック）を開閉作動すると共に、施設使用の可否の表示を切替作動する開閉レバーと、
該開閉レバーの作動により電気回路を開閉する回路開閉手段（スイッチ、リレー）と、
前記鍵や錠と遠隔した廊下やサロンや食堂等に設けられると共に、該回路開閉手段の作動により施設使用の可否の表示をする表示板等の表示体と、を備え、
前記  鍵や錠を施錠（ロック）すると、
これと同時に表示板等の表示体に施設を使用中であることを表示すると共に、
前記鍵や錠を解錠（アンロック）すると、
これと同時に表示板等の表示体に施設を使用してないことを表示することにより、
施設の管理を簡単かつ確実にすることができる、
ことを特徴とする貸切風呂等の自動管理装置。
【発明の詳細な説明】
【技術分野】
【０００１】  本発明は、貸切風呂等の自動管理装置に関し、特に旅館やホテルの貸切風呂や大家族の風呂等の管理を簡単にした貸切風呂等の自動管理装置に関するものである。
【背景技術】
【０００２】  従来、旅館やホテルの貸切風呂にあっては、それらの旅館やホテルの担当者と利用する客（利用者）とが話し合って利用時間を決め、該時間に担当者から鍵や利用札を受取って使用し、使用後にはその鍵や利用札を担当者に返却することで利用していた為、手続が煩雑で、利用し難いという問題点があった。【０００３】  また、利用者が利用時間を忘れてしまうと再利用が困難であるという問題点があった。【０００４】  さらに、旅館やホテルの担当者は、多数の利用者の時間の管理や連絡や利用者間の調整等管理が煩雑で多くの時間を取られ、本来の仕事ができないという問題点があった。
【発明の開示】
【発明が解決しようとする課題】
【０００５】  このような従来技術の問題点に鑑み、本発明の主な目的は、
利用者（旅館やホテルの客や大家族の各人）が操作することで旅館やホテルの貸切風呂等を使用中か否かが一目で分かり、旅館やホテルの担当者等の他人の手を煩わすことなく、自主的に利用することができるようにして、従来の不具合の解消を図り、使用勝手を飛躍的に向上させた貸切風呂等の自動管理装置を提供することにある。
【課題を解決するための手段】
【０００６】  このような目的は、本発明によれば、
旅館やホテルの貸切風呂や大家族の風呂等の多数人が利用する施設において、
該貸切風呂等の多数人が利用する施設の鍵や錠を施錠（ロック）すると、
これと同時に表示板等の表示体に施設を使用中であることを表示すると共に、
前記鍵や錠を解錠（アンロック）すると、
これと同時に表示板等の表示体に施設を使用してないことを表示することにより、
施設の管理を簡単かつ確実にすることができる、
ことを特徴とする貸切風呂等の自動管理装置、
を提供することにより達成される。
【発明の効果】
【０００７】  このような本発明によれば、
貸切風呂等の多数人が利用する施設の鍵や錠を施錠（ロック）すると、
これと同時に表示板等の表示体に使用中であることを表示すると共に、
前記鍵や錠を解錠（アンロック）すると、
これと同時に表示板等の表示体に使用してないことを表示することにより、
管理を簡単かつ確実にすることができる、
ことを特徴とする貸切風呂等の自動管理装置としたので、
他人の手を煩わすことなく利用者が自主的に管理して利用できるようになる。【０００８】  すなわち、
（１）施設の鍵や錠を施錠（ロック）すると同時に表示板等の表示体に使用中であることを表示すると共に、鍵や錠を解錠（アンロック）すると同時に表示板等の表示体に使用してないことを表示する構成としたので、旅館やホテルの担当者の手を借りることなく、利用者が単独で管理できるので、管理が簡単かつ確実になるという効果がある。
（２）施設の鍵や錠の施錠（ロック）と解錠（アンロック）とに連動させて表示板等の表示体に施設の使用中か否かを自動的に表示できる構成としたので、予約の必要や利用時間の厳守や鍵の貸借等という手続の煩雑さが解消されるという効果がある。
（３）施設の鍵や錠の施錠（ロック）と解錠（アンロック）とに連動させて表示板等の表示体に施設の使用中か否かを自動的に表示できる構成としたので、予約の煩わしさやタイムテーブルの作成や客への連絡や鍵の管理といった煩わしい作業が不要となるので、
本来の仕事に集中できるというという効果がある。
（４）施設の鍵や錠の施錠（ロック）と解錠（アンロック）とに連動させて表示板等の表示体に施設の使用中か否かを自動的に表示できる構成としたので、予定が狂ったり、時間を忘れても、利用者が再利用するのが簡単であり、時間に縛られることなく、時間を有効に使うことができるという効果がある。
（５）施設の鍵や錠の施錠（ロック）と解錠（アンロック）のとに連動させて表示板等の表示体に施設の使用中か否かを自動的に表示できる構成としたので、該表示体の表示を見れば、貸風呂等の施設の使用の可否が直ちに分かるから、施設利用の空き時間を可及的に少なくすることができ、該施設を効率的に利用することができる為、熱エネルギー等を節約することができ、省エネを図ることができるという効果がある。
（６）施設の鍵や錠の施錠（ロック）と解錠（アンロック）とに連動させて表示板等の表示体に施設の使用中か否かを自動的に表示できる構成としたので、現在ある施設に本発明の装置を付加するだけで済むから、いわゆる浴室の改造や設備の改造作業が不要で、本発明装置の付加作業だけで済み、費用やスペースの節約になるという効果がある。
（７）施設の鍵や錠の施錠（ロック）と解錠（アンロック）とに連動させて表示板等の表示体に施設の使用中か否かを自動的に表示できる構成としたので、使用する電気代が表示体の点灯だけで済むから、ランニングコストを少なくすることができ、費用の節約になるという効果がある。
（８）施設の鍵や錠を施錠（ロック）すると同時に表示板等の表示体に使用中であることを表示すると共に、鍵や錠を解錠（アンロック）すると同時に表示板等の表示体に使用してないことを表示する構成としたので、他人の手を借りることなく、利用者が単独で管理できるので、従来の煩雑さや困難さが解消され、利用し易くなり、簡単かつ確実に利用でき、使用勝手を飛躍的に向上させることができるという大なる効果があり、その適用範囲が幅広いものになる利点がある。
【発明を実施するための最良の形態】
【０００９】  次に、本発明を添付の図面を参照して、特定の実施の形態について詳述する。【００１０】  本発明の貸切風呂等の自動管理装置は、
旅館やホテルの貸切風呂や大家族の風呂等の多数人が利用する施設において、
該貸切風呂等の多数人が利用する施設の鍵や錠を施錠（ロック）すると、
これと同時に表示板等の表示体に施設を使用中であることを表示すると共に、
前記鍵や錠を解錠（アンロック）すると、
これと同時に表示板等の表示体に施設を使用してないことを表示することにより、
施設の管理を簡単かつ確実にすることができるように構成されており、
利用者（旅館やホテルの客や大家族の各人等）が操作することで旅館やホテルの貸切風呂等の施設が使用中か否かが一目で分かり、旅館やホテルの担当者等の他人の手を煩わすことなく、自主的に利用することができるようにして、従来の不具合の解消を図り、使用勝手を飛躍的に向上させたものとなる優れた装置となる。
【実施例１】
【００１１】  図１〜図９は、本発明に基づく貸切風呂等の自動管理装置の実施の形態の第一実施例を示している。【００１２】  本発明の貸切風呂等の自動管理装置１は、
浴室等の施設の出入口に設けられた開戸２の枠体２ａと該施設の出入口の入口枠３とに相対向して設けられ、出入口を施錠（ロック）する鍵錠（キー、ロック）４と、
該鍵錠（キー、ロック）４を開閉作動すると共に、施設の使用の可否の切替作動をする開閉レバー５と、
該開閉レバー５の作動により切替作動をすると共に、微電流（例えば、８ボルト電流）が流れるスイッチの一種であるマグネットスイッチ６と、
該マグネットスイッチ６の作動により開閉作動すると共に、常電流（例えば、１００ボルト電流）が流れるリレーの一種であるリレーユニット７と、
該リレーユニット７の作動により接点を接続する開閉器の一種である電磁接触器８と、
該電磁接触器８の作動により施設使用の可否の表示をする表示体の一種である表示板９と、
これらの回路の電流の制御をする安全ブレーカ１０と、
から構成されており、
旅館やホテルの貸切風呂や大家族の風呂等の施設の管理を簡単かつ確実にすることができ、該施設の管理の煩雑さを解消することができる。【００１３】  上記開戸２は、施設の出入口を開閉する戸であり、横開きや回転開き等種々のタイプがあるが、何れのものも操作し易いように引手の近くの枠体２ａと出入口の入口枠３とには、相対向して上記鍵錠（キー、ロック）４が設けられている。【００１４】  また、前記開閉レバー５は、回動することにより上記鍵錠（キー、ロック）４を施錠（ロック）または解錠（アンロック）することができるように、上記鍵錠（キー、ロック）４に近接して設けられている。【００１５】  さらに、該開閉レバー５には、回動により前記マグネットスイッチ６が作動するようにマグネット１１が上面に設けられている。【００１６】  また、前記マグネットスイッチ６は、上記開閉レバー５が直立したときにマグネット１１と接触可能な位置の前記入口枠３に設けられており、人が触れても危険のないように微電流（例えば、８ボルト電流）が流れている。【００１７】  さらに、上記リレーユニット７は、上記マグネットスイッチ６が設けられている入口枠３の近傍の施設の壁面に設けられている。【００１８】  また、上記電磁接触器８は、上記リレーユニット７が設けられている施設の壁面の近傍に設けられており、該リレーユニット７との間に常電流（例えば、１００ボルトボルト電流）が流れるように電気接続されている。【００１９】  さらに、上記表示板９は、上記浴室等の施設の利用状況を表示するものであり、
本実施例にあっては表示板の外面に「使用中」の赤い文字をぼかして表示することで形成してあり、多数人が見ることの出来る廊下やサロンや食堂等に設けることができ、
内部に設けられた表示灯の一種であるランプ９ａが点灯することで、その「使用中」の文字が鮮明に表示され、現在誰かが使用中であるから他人は使用できないことが明示されると共に、
該ランプ９ａが消灯することで、その「使用中」の文字が不鮮明になり、見え難くなって判読不能となることで、現在誰も使用してないから自由に使用可能であることが明示されるのである。【００２０】  また、上記安全ブレーカ１０は、上記リレーユニット７と上記電磁接触器８が設けられている施設の壁面の近傍に設けられており、該リレーユニット７と電磁接触器８との間に常電流（例えば、１００ボルトボルト電流）が流れるように電気接続されていると共に、上記の電気回路に規定の容量を越える電流が流れると、直ちに接点が切断され電流の流れが遮断されるように形成されている。【００２１】  このようにして、本発明の貸切風呂等の自動管理装置１によれば、
開閉レバー５の施錠（ロック）作動により鍵錠（キー、ロック）４が施錠（ロック）されると同時に、
表示体９のランプ９ａが点灯することで、表示体９に書かれた文字が鮮明になり、例えば「使用中」の文字が鮮明に表示されることで、現在誰かが使用中であるから他人は使用できないことが明示され、さらに
開閉レバー５の解錠（アンロック）作動により鍵錠（キー、ロック）４が解錠（アンロック）されると同時に、
表示板９のランプ９ａが消灯することで、表示板９に書かれた文字が不鮮明になり、例えば「使用中」の文字が不鮮明になり、見え難くなって判読不能となることで、現在誰も使用してないから自由に使用可能であることが明示されるようになる。【００２２】  尚、本発明の貸切風呂等の自動管理装置１は、上記実施例の構成に限られることなく、上記実施例の構成の一部を省略することや、上記実施例の構成に追加することや、上記実施例の構成の一部を他の構成部材で置換することができるのは勿論である。【００２３】  次に、本発明の使用方法を上記実施の形態の第１例の貸切風呂等の自動管理装置１によって詳述する。【００２４】  本発明の貸切風呂等の自動管理装置にあっては、
利用者（旅館やホテルの客や大家族の各人等）が操作することで旅館やホテルの貸切風呂等が使用中か否かが一目で分かり、旅館やホテルの担当者等の他人の手を煩わすことなく、自主的に利用することができ、従来の不具合の解消を図ることができ、使用勝手を飛躍的に向上させることができるものである。【００２５】  すなわち、図１〜図８に良く示されているように、
（１）まず、浴室等の施設を利用しようとする者（利用者）は、
浴室等の施設の出入口に設けられた開戸２の枠体２ａと該施設の出入口の入口枠３とに相対向して設けられ、出入口を施錠（ロック）する鍵錠（キー、ロック）４を開閉作動する開閉レバー５を９０度回動して水平状態から直立状態にすることで、鍵錠（キー、ロック）４を施錠（ロック）して、出入口を閉鎖することができる。
（２）該開閉レバー５を９０度回動して水平状態から直立状態にすることで、
鍵錠（キー、ロック）４を施錠（ロック）して、出入口を閉鎖すると、
水平状態のときに開閉レバー５の上面に設けられているマグネット１１が直立状態になり、マグネットスイッチ６に接近することで該マグネットスイッチ６が作動する。
（３）次に、微電流（例えば、８ボルト電流）が流れているマグネットスイッチ６が作動すると、リレーユニット７が開閉作動して常電流（例えば、１００ボルトボルト電流）が流れる。
（４）該リレーユニット７が開閉作動することで、電磁接触器８が接点を接続する。
（５）該電磁接触器８が接点を接続作動すると、
表示板９のランプ９ａが点灯することで、
該表示板９に書かれた文字が鮮明になり、例えば「使用中」の文字が鮮明に表示されることで、現在誰かが使用中であるから他人は使用できないことが明示される。
（６）一方、浴室等の施設の利用を終了した利用者は、
上記出入口を施錠（ロック）する鍵錠（キー、ロック）４を開閉作動する開閉レバー５を上記と逆に９０度回動して直立状態から水平状態にすることで、
鍵錠（キー、ロック）４を解錠（アンロック）して、出入口を開放することができる。
（７）該開閉レバー５を９０度回動して直立状態から水平状態にすることで、
鍵錠（キー、ロック）４を解錠（アンロック）して、出入口を開放するすると、
直立状態から水平状態になった開閉レバー５の上面に設けられているマグネット１１がマグネットスイッチ６から離れることで、
微電流が流れるマグネットスイッチ６の接点信号が切断される。
（８）次に、該マグネットスイッチ６の接点信号が切断されることで、
常電流が流れるリレーユニット７の接点が切断される。
（９）該リレーユニット７の接点が切断されることで、
電磁接触器８の電磁コイルの働きが失われ、接点の接続が離れる。
（１０）該電磁接触器８の接点の接続が離れると、
表示板９のランプ９ａが消灯することで、
該表示板９に書かれた文字が不鮮明になり、
例えば「使用中」の文字が不鮮明になって、文字が見え難くなって判読不能となることで、現在誰も使用してないから自由に使用可能であることが明示される。
（１１）これによって、各利用者が自主的に利用することができ、
旅館やホテルの担当者は、多数の利用者に「表示板９の［使用中］のランプ９ａが灯いてないとき（消灯時）にご使用下さい」と伝えるだけで済み、
旅館やホテルの貸切風呂や大家族の風呂等の管理を簡単かつ確実にすることができ、該管理の煩雑さを解消することができ、
従来、旅館やホテルの担当者が、多数の利用者の時間の管理や連絡や利用者間の調整等管理が煩雑で多くの時間を取られ、本来の仕事ができないという不具合の解消を図り、コストの削減を図ることができる。
【実施例２】
【００２６】  図１０〜図１１は、本発明に基づく貸切風呂等の自動管理装置の実施の形態の第二実施例を示している。【００２７】  本発明の貸切風呂等の自動管理装置１は、前記実施例１と異なり、
開閉レバー５の作動により切替作動をすると共に、微電流（例えば、８ボルト電流）が流れるマグネットスイッチ６と、
該マグネットスイッチ６の作動により開閉作動すると共に、常電流（例えば、１００ボルトボルト電流）が流れるリレーユニット７と、
該リレーユニット７の作動により接点を接続する電磁接触器８と、に代えて、
上記開閉レバー５と表示板９との間に介在されると共に、電流回路の接点を閉開（ＯＮ、ＯＦＦ）することにより、表示板９の表示を切替える回路開閉手段（スイッチ、リレー）１２が設けられている。【００２８】  上記本発明に基づく貸切風呂等の自動管理装置の実施の形態の第二実施例によれば、
（１）まず、浴室等の施設を利用しようとする者（利用者）は、
開閉レバー５の施錠（ロック）作動により鍵錠（キー、ロック）４を施錠（ロック）するると同時に、
出入口を施錠（ロック）する鍵錠（キー、ロック）４を開閉作動する開閉レバー５を９０度回動して水平状態から直立状態にすることで、
鍵錠（キー、ロック）４を施錠（ロック）して、出入口を閉鎖することができる。
（２）該開閉レバー５を９０度回動して水平状態から直立状態にすることで、
鍵錠（キー、ロック）４を施錠（ロック）して、出入口を閉鎖すると、
水平状態のときに開閉レバー５の上面に設けられているマグネット１１が直立状態になると回路開閉手段（スイッチ、リレー）１２に接近することで、
該回路開閉手段（スイッチ、リレー）１２の接点が接続作動する。
（３）該回路開閉手段（スイッチ、リレー）１２が接点を接続作動すると、
表示板９のランプ９ａが点灯することで、該表示板９に書かれた文字が鮮明になり、
例えば「使用中」の文字が鮮明に表示されることで、現在誰かが使用中であるから他人は使用できないことが明示される。
（４）一方、浴室等の施設の利用を終了した利用者は、
上記出入口を施錠（ロック）する鍵錠（キー、ロック）の４を開閉作動する開閉レバー５を上記と逆に９０度回動して直立状態から水平状態にすることで、
鍵錠（キー、ロック）４を解錠（アンロック）して、出入口を開放することができる。
（５）該開閉レバー５を９０度回動して直立状態から水平状態にすることで、
鍵錠（キー、ロック）４を解錠（アンロック）して、出入口を開放するすると、
直立状態から水平状態になった開閉レバー５の上面に設けられているマグネット１１が、回路開閉手段（スイッチ、リレー）１２から離れることで、
該回路開閉手段（スイッチ、リレー）１２の接点信号が切断される。
（６）次に、該回路開閉手段（スイッチ、リレー）１２の接点信号が切断されることで、
表示板９のランプ９ａが消灯するから、該表示板９に書かれた文字が不鮮明になり、
例えば「使用中」の文字が不鮮明になって、文字が見え難くなって判読不能となることで、現在誰も使用してないから自由に使用可能であることが明示される。
（７）これによって、各利用者が自主的に利用することができ、
旅館やホテルの担当者は、多数の利用者に「表示板９の［使用中］のランプ９ａが灯いてないとき（消灯時）にご使用下さい」と伝えるだけで済み、
旅館やホテルの貸切風呂や大家族の風呂等の管理を簡単かつ確実にすることができ、該管理の煩雑さを解消することができ、
従来、旅館やホテルの担当者が、多数の利用者の時間の管理や連絡や利用者間の調整等管理が煩雑で多くの時間を取られ、本来の仕事ができないという不具合の解消を図り、コストの削減を図ることができる。【００２９】  尚、本発明の貸切風呂等の自動管理装置は、上記実施例の貸切風呂等の自動管理装置に限られることなく、種々の変形例が考えられる。【００３０】  例えば、本発明の貸切風呂等の自動管理装置に用いられる鍵錠（キー、ロック）は、
上記実施例の鍵錠（キー、ロック）４に限られることなく、
施設の出入口を開閉する開戸２を施錠（ロック）・解錠（アンロック）し得るものならば、種々のタイプの鍵や錠とすることができるのは勿論である。。【００３１】  また、本発明の開閉レバー５は、上記実施例の形状に限られることなく、操作しやすいものならばその他の形状とすることができるのは勿論である。【００３２】  さらに、本発明のスイッチ６は、上記実施例のマグネットスイッチに限られることなく、使用時に危険がなく安全なものならばその他のタイプのスイッチとすることができるのは勿論である。【００３３】  また、本発明のリレー７は、上記実施例のリレーユニットに限られることなく、使用時に危険がなく安全なものならばその他のリレーとすることができるのは勿論である。【００３４】  さらに、本発明の開閉器８は、上記実施例の電磁接触器に限られることなく、使用時に危険がなく安全なものならばその他のタイプの開閉器とすることができるのは勿論である。【００３５】  また、本発明の表示板９は、上記実施例の「使用中」の文字が鮮明になるタイプに限られることなく、赤色ランプが点灯するタイプのものや、赤色に点滅するタイプのもの等、使用時であることが明らかに分かるものならば、その他のタイプのものとすることができるのは勿論である。【００３６】  さらに、本発明の表示板９は、上記実施例の廊下やサロンや食堂に限られることなく、娯楽室やバーやカラオケルーム等の多数人が見ることの出来る所や、
小規模の旅館やホテルにおける各部屋毎に、
設けることができるのは勿論である。
【図面の簡単な説明】
【００３７】
【図１】本発明の貸切風呂等の自動管理装置の実施の形態の第１例を示す構成の配置図である。
【図２】同装置の実施の形態の第１例を示す電気回路図である。
【図３】同装置の実施の形態の第１例を示す使用方法の流れ図である。
【図４】同装置の実施の形態の第１例の開閉レバーの施錠（ロック）の状態を示す正面図である。
【図５】同装置の実施の形態の第１例の開閉レバーの解錠（アンロック）の状態を示す正面図である。
【図６】同装置の実施の形態の第１例の開閉レバーの施錠状態を示す平面図である。
【図７】同装置の実施の形態の第１例の開閉レバーの解錠状態を示す平面図である。
【図８】同装置の実施の形態の第１例の表示板のランプの点灯状態を示す正面図である。
【図９】同装置の実施の形態の第１例の表示板のランプの消灯状態を示す正面図である。
【図１０】本発明の貸切風呂等の自動管理装置の実施の形態の第２例を示す構成の配置図である。
【図１１】同装置の実施の形態の第２例を示す電気回路図である。
【符号の説明】
【００３８】１      貸切風呂等の自動管理装置
２      開戸
２ａ    枠体
３      入口枠
４      鍵錠（キー、ロック）
５      開閉レバー
６      スイッチ（マグネットスイッチ）
７      リレー（リレーユニット）
８      開閉器（電磁接触器）
９      表示体（表示板）
９ａ    表示灯（ランプ）
１０    安全ブレーカ
１１    マグネット
１２    回路開閉手段（スイッチ、リレー）
【図１】
0004822045.tif 000002
【図２】
0004822045.tif 000003
【図３】
0004822045.tif 000004
【図４】
0004822045.tif 000005
【図５】
0004822045.tif 000006
【図６】
0004822045.tif 000007
【図７】
0004822045.tif 000008
【図１０】
0004822045.tif 000009
【図８】
0004822045.tif 000010
【図９】
0004822045.tif 000011
【図１１】
0004822045.tif 000012